(57)【要約】　　　（修正有）【課題】パイプの所要位置に目視確認用の線を簡便に引くことができるパイプ用マーキング装置を提供する。【解決手段】パイプ４の端面７に当接させる基板部１と、基板部１をパイプ４の端面７に当接させた状態でパイプ４の外面に沿ってパイプ４の長手方向へ向いた状態となり、パイプ４の外面の周囲を回転可能なガイド板部２と、ペン先９がパイプ４の外面に接触するようにマーキングペン８を保持可能で、ガイド板部２に対しその長手方向へスライド自在で、かつ、ガイド板部２と共にパイプ４の外面の周囲を回転可能なペンホルダ部３とを具え、ペンホルダ部３をガイド板部２の任意の位置に係止可能とした。【選択図】　　　　図２
2004090116.tif 000002
【特許請求の範囲】
【請求項１】
継手６等に端部を挿入して接続するパイプ４の端面７に当接させてパイプ４の周方向へ回転可能な基板部１と、その基板部１に垂直で、基板部１をパイプ４の端面７に当接させた状態でパイプ４の外面に沿ってパイプ４の長手方向へ向いた状態となり、パイプ４の外面の周囲を回転可能なガイド板部２と、ペン先９がパイプ４の外面に接触するようにマーキングペン８を保持可能で、ガイド板部２に対しその長手方向へスライド自在で、かつ、ガイド板部２と共にパイプ４の外面の周囲を回転することにより、保持したマーキングペン８のペン先９でパイプ４の外面に目印の線５を引くことができるペンホルダ部３とを具え、また、継手６等の種類別、かつ、サイズ別にペンホルダ部３の位置を変えるときに、そのペンホルダ部３を位置合わせするための目盛１４をガイド板部２に表示するとともに、その目盛１４の任意の位置にペンホルダ部３を係止可能としたことを特徴とするパイプ用マーキング装置。
【発明の詳細な説明】
【０００１】
【発明の属する技術分野】
本発明は、パイプの外面に目視確認用の線を引くためのパイプ用マーキング装置に関する。
【０００２】
【従来の技術】
パイプの端部を継手等に挿入して接続するときに、パイプが必要な長さ確実に継手等に挿入されたか否かを目で確認する必要がある。そして、その確認は、図４に示すように、パイプ４の外面に目印の線５を引くことによって行なうことができる。すなわち、その線５の位置まで挿入していれば、パイプ４が完全に継手６等に挿入したことが確認できる。しかしながら、従来、パイプの所要位置に目印の線５を簡便に引くことができる装置が存在しなかった。
【０００３】
【発明が解決しようとする課題】
そこで、本発明は、パイプの所要位置に目視確認用の線を簡便に引くことができるパイプ用マーキング装置の提供を課題とする。
【０００４】
【課題を解決するための手段】
上記課題を解決するために、本発明のパイプ用マーキング装置は、継手６等に端部を挿入して接続するパイプ４の端面７に当接させてパイプ４の周方向へ回転可能な基板部１と、その基板部１に垂直で、基板部１をパイプ４の端面７に当接させた状態でパイプ４の外面に沿ってパイプ４の長手方向へ向いた状態となり、パイプ４の外面の周囲を回転可能なガイド板部２と、ペン先９がパイプ４の外面に接触するようにマーキングペン８を保持可能で、ガイド板部２に対しその長手方向へスライド自在で、かつ、ガイド板部２と共にパイプ４の外面の周囲を回転することにより、保持したマーキングペン８のペン先９でパイプ４の外面に目印の線５を引くことができるペンホルダ部３とを具え、また、継手６等の種類別、かつ、サイズ別にペンホルダ部３の位置を変えるときに、そのペンホルダ部３を位置合わせするための目盛１４をガイド板部２に表示するとともに、その目盛１４の任意の位置にペンホルダ部３を係止可能としたことを特徴とする、という構成にしたものである。
【０００５】
【発明の実施の形態】
以下、図を用いて本発明の実施の形態について説明する。まず、本発明のパイプ用マーキング装置は、基板部１と、ガイド板部２と、ペンホルダ部３を具えている。
【０００６】
基板部１は、図２に示すように、パイプ４の端面７に当接させた状態で、パイプ４の周方向へ回転可能としている。
【０００７】
ガイド板部２は上記の基板部１に垂直で、基板部１をパイプ４の端面７に当接させると、パイプ４の外面に沿ってパイプ４の長手方向へ向いた状態となる。そして、基板部１をパイプ４の端面７に当接させてパイプ４の周方向へ回転させると、図３に示すように、このガイド板部２もパイプ４の外面の周囲を回転することになる。
【０００８】
ペンホルダ部３は、マーキングペン８を、そのペン先９がパイプ４の外面に接触するように保持可能な構造としている。例えば、図示したように、マーキングペン８を差し込み可能な筒体１０をガイド板部２に組み付けて、その筒体１０の底にペン先９を露出させる開口１１を設けた構造にすることがてきる。
【０００９】
また、ペンホルダ部３はガイド板部２に対し、その長手方向へスライド自在としている。なお、ガイド板部２は長手方向の溝１２を設けて、その溝１２にペンホルダ部３をスライド自在に嵌着することができる。また、その溝１２の底にはマーキングペン８のペン先９を貫通可能な孔１３を設けている。
【００１０】
ペンホルダ部３にマーキングペン８をセットし、基板部１をパイプ４の端面７に当接してから、ペンホルダ部３をガイド板部２に対しスライドさせて所要位置で停止させ、その位置で図３に示すようにペンホルダ部３をガイド板部２と共にパイプ４の回りを回転させると、マーキングペン８のペン先９によりパイプ４の外周面に線５を引くことができる。したがって、パイプ４を継手６等に挿入する場合、パイプ４をこの線５の位置まで挿入すればよいことになる。
【００１１】
ところで、継手６等の種類やサイズによってパイプ４を挿入する長さは異なってくる。すなわち、継手６等が変ればパイプ４に印す目印の線５の位置も異なることになる。したがって、継手６等の種類とサイズが異なったときに、目印の線５を適正な位置に引くには、継手６等の種類別、かつ、サイズ別に、ペンホルダ部３の位置を変更する必要がある。そのために、ガイド板部２には、図１に示すように、継手６等の種類別に、ペンホルダ部３の位置合わせ用の目盛１４を表示している。
【００１２】
また、図１に示すように、その目盛１４を表示した個所に被係止凹部１５を設けるとともに、ペンホルダ部３に一体に弾性変形可能な突片１６を設けて、その突片１６に、上記の被係止凹部１５に係止可能な係止凸部１７を設けて、ペンホルダ部３を位置合わせした状態で固定可能としている。なお、図１では、突片１６と係止凸部１７はスリーレス継手側だけにしか表示されていないが、ＤＶ継手側にも勿論設けている。
【００１３】
なお、不使用時に、ペンホルダ部３に装着したマーキングペン８のペン先９が乾燥しないように、図１に示すように、そのペン先９に被せるキャップ１８をペンホルダ部３に取り付けている。なお、図示したように、キャップ１８には細い変形容易な紐状体１９を付けて、その紐状体１９の先端をペンホルダ部３の羽板部２０に接続することができる。
【００１４】
【発明の効果】
本発明のパイプ用マーキング装置は上記の通りであり、パイプ４を継手６等に挿入するときに、そのパイプ４の外面に目印の線５を引いて、その目印の線５までパイプ４を挿入することにより、継手６等に対しパイプ４を確実に接続することができる。また、継手６等の種類やサイズが異なっても、ペンホルダ部３の位置を変更できるので、それに対応することができる。
【図面の簡単な説明】
【図１】斜視図である。
【図２】使用状態を示す縦断面図である。
【図３】図２のＡ−Ａ線における横断面図である。
【図４】継手にパイプを接続する状態を示す断面図である。
【符号の説明】
１　基板部
２　ガイド板部
３　ペンホルダ部
４　パイプ
５　目印の線
６　継手
７　パイプの端面
８　マーキングペン
９　ペン先
１０　筒体
１１　開口
１２　溝
１３　孔
１４　目盛
１５　被係止凹部
１６　突片
１７　係止凸部
１８　キャップ
１９　紐状体
２０　羽板部
【図１】
2004090116.tif 000003
【図２】
2004090116.tif 000004
【図３】
2004090116.tif 000005
【図４】
2004090116.tif 000006